(57)【要約】【課題】転倒防止部材を簡易な構成で装置本体から出し入れすることができる転倒防止装置、及びそれを備えた画像形成装置を提供する。【解決手段】転倒防止装置は、転倒防止部材と、操作レバーと、を有する。転倒防止部材は、装置本体の底面に設けられ、キャスターよりも下方に突出する固定位置と、キャスターよりも上方の解除位置との間を移動可能である。操作レバーは、装置本体の底面に沿って往復移動することにより転倒防止部材を固定位置または解除位置に移動させる。【選択図】図３
2015141385.tif 000002
【特許請求の範囲】
【請求項１】
装置本体を水平方向に移動可能とする複数のキャスターを有する装置に用いられる転倒防止装置であって、
前記装置本体の底面に設けられ、前記キャスターよりも下方に突出する固定位置と、前記キャスターよりも上方の解除位置との間を移動可能である転倒防止部材と、
前記装置本体の底面に沿って往復移動することにより転倒防止部材を前記固定位置または前記解除位置に移動させる操作レバーと、
を有する転倒防止装置。
【請求項２】
前記装置本体の底面に対し前記転倒防止部材と共に上下方向に摺動可能に支持されるホルダー部材を備え、
前記操作レバーの往復移動に伴い、前記ホルダー部材が上下方向に移動することにより、前記転倒防止部材が前記固定位置または前記解除位置に配置されること特徴とする請求項１に記載の転倒防止装置。
【請求項３】
前記操作レバーに形成され、前記ホルダー部材の一部に下方から当接する傾斜面と、
前記ホルダー部材を下方向に付勢する付勢部材と、が設けられており、
前記操作レバーの一方向への移動に伴い前記ホルダー部材が前記傾斜面に乗り上げることにより、前記ホルダー部材が前記付勢手段の付勢力に抗して上方向に移動し、前記転倒防止部材が前記解除位置に配置されるとともに、前記操作レバーの他方向への移動に伴い前記付勢手段の付勢力によって前記ホルダー部材が前記傾斜面に沿って下方向に移動し、前記転倒防止部材が前記固定位置に配置されることを特徴とする請求項２に記載の転倒防止装置。
【請求項４】
前記操作レバーには、前記ホルダー部材の側面に形成される突起が摺動可能に係合する長穴状の摺動穴が斜め方向に延設けられており、
前記操作レバーの一方向への移動に伴い、前記突起が前記摺動穴に沿って斜め上方向に摺動することにより前記ホルダー部材が上方向に移動し、前記転倒防止部材が前記解除位置に配置されるとともに、前記操作レバーの他方向への移動に伴い、前記突起が前記摺動穴に沿って斜め下方向に摺動することにより前記ホルダー部材が移動し、前記転倒防止部材が前記固定位置に配置されることを特徴とする請求項２に記載の転倒防止装置。
【請求項５】
前記操作レバーには、前記転倒防止部材が前記解除位置または前記固定位置に配置された状態で前記ホルダー部材を係止する係止部が形成されることを特徴とする請求項２乃至請求項４のいずれかに記載の転倒防止装置。
【請求項６】
前記操作レバーを前記装置本体の下方から突出する方向に移動させることにより、前記転倒防止部材が前記固定位置に配置されることを特徴とする請求項１乃至請求項５のいずれかに記載の転倒防止装置。
【請求項７】
前記操作レバーを前記装置本体の下方に収納される方向に移動させることにより、前記転倒防止部材が前記固定位置に配置されることを特徴とする請求項１乃至請求項５のいずれかに記載の転倒防止装置。
【請求項８】
請求項１乃至請求項７のいずれかに記載の転倒防止装置を備えた画像形成装置。
【発明の詳細な説明】
【技術分野】
【０００１】
本発明は、画像形成装置や事務機器等の電子機器、家具等に設けられる転倒防止装置、及びそれを備えた画像形成装置に関するものである。
【背景技術】
【０００２】
従来、画像形成装置や事務機器等は、事務所等において設置場所を移動するために装置本体の底面にキャスターが設けられており、キャスターによって所定の位置に移動された後、所定の位置にてキャスターをロックすることで床面に固定されている。
【０００３】
しかし、地震等によって過大な衝撃あるいは振動等の外力が画像形成装置の装置本体に作用すると、キャスターのロック部への衝撃力は過大となり、この大きな衝撃力を受ける部分が破損することがあった。また、キャスターのロックをしていなかった場合は装置本体が移動してしまい、壁や他の機器に衝突して破損したり、人に衝突して怪我をさせたりするおそれがあった。
【０００４】
そこで、キャスターとは別に、装置本体を支持する部材を設けて事務機器の転倒や移動を防止する方法が種々提案されており、例えば特許文献１には、機器本体の下端部に配設されたジャッキにより上昇位置と下降位置との間を昇降可能に支持された支持壁を備え、支持壁を下降位置に下降させることにより支持壁の下端面が設置面に接触し、キャスターが設置面から離間して機器本体を支持する耐震事務用機器が開示されている。
【０００５】
また、特許文献２には、筐体の下部に配置される転倒防止脚と、転倒防止脚を上下に移動させる駆動部と、転倒防止脚を上方向又は下方向に移動させる指示信号を受け付ける受付部と、転倒防止脚が最下部、最上部に到達したことを検知する第１、第２センサーと、受付部によって指示信号を受け付けたとき、転倒防止脚が最下部に到達していることを第１センサーが検知しているか、及び転倒防止脚が最上部に到達していることを第２センサーが検知しているかを判断する判断部を備え、転倒防止脚を自動で出し入れするようにした転倒防止脚の出し入れ装置が開示されている。
【先行技術文献】
【特許文献】
【０００６】
【特許文献１】特開２００８−８９６３８号公報
【特許文献２】特開２０１２−２０８４３０号公報
【発明の概要】
【発明が解決しようとする課題】
【０００７】
しかしながら、特許文献１の構成では、ねじ軸に設けられたハンドルを回してパンタグラフ式のジャッキを伸縮させることにより支持壁を上下に移動させるため、装置を移動または設置する毎にハンドルを回す必要があり、移動時及び設置時の作業が煩雑となる。また、支持壁が設置面に当接している状態では装置の重量が支持壁に掛かっているため、回し始めに相当の力が必要となる。
【０００８】
また、特許文献２の構成では、転倒防止脚が自動的に上下するため作業性は向上するが、転倒防止脚を上下に移動させるためのモーターや転倒防止脚の位置を検知するためのセンサー等が必要となるため、コストアップに繋がるという問題点があった。
【０００９】
本発明は、上記のような課題を解決するためになされたものであり、転倒防止部材を簡易な構成で装置本体から出し入れすることができる転倒防止装置、及びそれを備えた画像形成装置を提供することを目的とする。
【課題を解決するための手段】
【００１０】
上記目的を達成するために本発明の第１の構成は、装置本体を水平方向に移動可能とする複数のキャスターを有する装置に用いられる転倒防止装置であって、転倒防止部材と、操作レバーと、を有する。転倒防止部材は、装置本体の底面に設けられ、キャスターよりも下方に突出する固定位置と、キャスターよりも上方の解除位置との間を移動可能である。操作レバーは、装置本体の底面に沿って往復移動することにより転倒防止部材を固定位置または解除位置に移動させる。
【発明の効果】
【００１１】
本発明の第１の構成によれば、操作レバーを往復移動させるだけで転倒防止部材の配置を固定位置と解除位置とに切り替えることができる。従って、装置の移動時および設置時に簡易な構成で転倒防止部材の解除及び固定作業を容易に行うことができ、利便性を向上させることができる。
【図面の簡単な説明】
【００１２】
【図１】本発明の転倒防止装置４０を備えた画像形成装置１００の外観斜視図
【図２】本発明の第１実施形態に係る転倒防止装置４０の斜視図
【図３】本発明の第１実施形態に係る転倒防止装置４０の側面図
【図４】第１実施形態の転倒防止装置４０の使用状態を示す斜視図
【図５】第１実施形態の転倒防止装置４０の使用状態を示す側面図
【図６】本発明の第２実施形態に係る転倒防止装置４０の平面図
【図７】本発明の第３実施形態に係る転倒防止装置４０の使用状態を示す側面図
【図８】本発明の第１実施形態に係る転倒防止装置４０の変形例を示す側面図
【発明を実施するための形態】
【００１３】
以下、図面を参照しながら本発明の実施形態について説明する。図１は、本発明の転倒防止装置４０を備えた画像形成装置１００の外観斜視図である。
【００１４】
画像形成装置１００は、いわゆる胴内排出型のデジタル複合機であって、図１に示すように、画像形成装置１００本体は、下ハウジング１００ａと、その上方で右側部に沿って位置し、画像読取部２１に連結される連結ハウジング１００ｂとから構成され、下ハウジング１００ａには、用紙を収納して給紙する給紙カセット１０ａ〜１０ｄや、帯電、露光、現像及び転写の各工程によりトナー像（モノクロ画像）を形成する画像形成部や、用紙上のトナー像を定着するための定着部等（いずれも図示せず）が設けられ、他方、連結ハウジング１００ｂには、定着後の用紙を搬送して排出するための排出ローラー対を含む用紙排出装置が設けられている。
【００１５】
画像読取部２１の直下における連結ハウジング１００ｂの左側方には、左側面及び正面に向けて大きく開放された胴内排出空間２５が形成されており、この胴内排出空間２５の下方には、連結ハウジング１００ｂの右側面から水平方向に排出される用紙を受け取って積載するための排出トレイ１５が設けられている。連結ハウジング１００ｂの側面には胴内排出空間２５に連通するように用紙排出口（図示せず）が設けられており、排出トレイ１５上に用紙を排出する。
【００１６】
画像読取部２１の上面には、透明なガラス板からなる原稿載置台（図示せず）や、正面側に表出した操作パネル２２が配設されている。また、画像読取部２１の上面には、原稿載置台に載置された原稿を押さえるプラテン（図示せず）が開閉自在に支持されている。また、画像形成装置１００の底面１００ｃには、画像形成装置１００を移動させるためのキャスター３０が四隅に配設されている。
【００１７】
図２は、本発明の第１実施形態に係る転倒防止装置４０の斜視図であり、図３は、転倒防止装置４０を図２のＸ方向から見た側面図である。転倒防止装置４０は、画像形成装置１００の底面１００ｃの所定箇所（ここではキャスター３０の近傍に１箇所ずつ計４箇所）に設けられており、アジャスター４１と、アジャスターホルダー４３と、ピン４５と、コイルバネ４７と、操作レバー５０と、ガイドレール５１と、を有する。なお、図２では底面１００ｃの一部のみを図示している。
【００１８】
アジャスター４１は、画像形成装置１００の底面１００ｃから下向きに突出して設置面に当接することで、画像形成装置１００を設置面に固定する。アジャスターホルダー４３は、中央部にネジ穴（図示せず）が形成され、四隅に４本のピン４５が挿入される貫通穴（図示せず）が形成された矩形状の金属部材である。アジャスターホルダー４３のネジ穴には、外周面にネジ山が形成されたアジャスター４１の軸部が螺入される。アジャスター４１を所定方向に回転させることで、アジャスターホルダー４３に対するアジャスター４１の突出量を調整可能となっている。また、アジャスターホルダー４３の対向する側面には操作レバー５０の押圧部材５３が当接する突起４３ａが形成されている。
【００１９】
ピン４５は、軸部４５ａと、軸部４５ａよりも大径の頭部４５ｂとで構成されており、頭部４５ａを下向きにして底面１００ｃに固定されている。また、アジャスターホルダー４３の貫通穴は、内径がピン４５の軸部４５ａの直径よりも大きく、頭部４５ｂよりも小さい。これにより、アジャスターホルダー４３はピン４５の軸部４５ａに摺動可能に支持され、頭部４５ｂはアジャスターホルダー４３の抜け止めとなっている。また、各ピン４５の軸部４５ａには、底面１００ｃとアジャスターホルダー４３の間にコイルバネ４７が外挿されており、アジャスターホルダー４３はコイルバネ４７によって下方向（図３のＹ方向）に付勢されている。
【００２０】
操作レバー５０は、底面１００ｃに設けられたガイドレール５１に沿って水平方向（図２、３の矢印ＺＺ′方向）にスライド可能に支持される平面視コ字状の部材である。操作レバー５０のスライド方向と平行な部分には押圧部材５３が固定されている。アジャスターホルダー４３の突起４３ａと当接する押圧部材５３の上面には、平坦状の係止部５３ａと、係止部５３ａに連続する傾斜部５３ｂとが形成されている。
【００２１】
図２及び図３は、転倒防止装置４０を使用しない状態を示しており、操作レバー５０は底面１００ｃの下方に収納されている。この状態では、アジャスターホルダー５３の突起５３ａが押圧部材５３の係止部５３ａと当接しており、アジャスターホルダー４３は押圧部材５３によりコイルバネ４７の付勢力に抗して上方向（矢印Ｙ′方向）に押し上げられている。その結果、アジャスターホルダー４３に固定されたアジャスター４１も上方向に移動し、図３に示すように、キャスター３０（図１参照）より上方の解除位置に配置されている。画像形成装置１００を移動する際は、底面１００ａの四隅に設けられた転倒防止装置４０を図２及び図３に示した状態、即ち、キャスター３０のみが設置面に当接した状態にして画像形成装置１００を移動させる。
【００２２】
図４及び図５は、第１実施形態の転倒防止装置４０の使用状態を示す斜視図及び側面図である。画像形成装置１００を所定位置まで移動した後、図４及び図５に示すように、底面１００ａの四隅に設けられた転倒防止装置４０の操作レバー５０を矢印Ｚ方向に引き出すことにより、突起４３ａが押圧部材５３の係止部５３ａから外れて傾斜面５３ｂに沿って滑り落ち、アジャスターホルダー４３はコイルバネ４７の付勢力によって下方向（矢印Ｙ方向）に押し下げられ、ピン４５の頭部４５ａに圧接される。これにより、アジャスターホルダー４３に固定されたアジャスター４１もキャスター３０（図１参照）より下方の固定位置に移動する。
【００２３】
画像形成装置１００の設置位置を変更する場合は、図４及び図５の状態から操作レバー５０を矢印Ｚ′方向に押し込むことにより、突起４３ａが押圧部材５３の傾斜面５３ｂに乗り上げ、アジャスターホルダー４３はコイルバネ４７の付勢力に抗して矢印Ｙ′方向に移動する。これに伴い、アジャスター４１も固定位置から矢印Ｙ′方向に移動する。そして、操作レバー５０を完全に押し込んだ状態で、突起４３ａが押圧部材５３の係止部５３ａに係止され、アジャスター４１が解除位置に退避する。
【００２４】
本実施形態の構成によれば、操作レバー５０の引き出し動作、または押し込み動作のみでアジャスター４１の配置を固定位置と解除位置とに切り替えることができる。従って、画像形成装置１００の移動時および設置時に簡易な構成でアジャスター４１の解除及び固定作業を容易に行うことができ、利便性を向上させることができる。
【００２５】
また、アジャスター４１を設置面に固定したとき、底面１００ｃから外向きに突出する操作レバー５０が画像形成装置１００の転倒を防止する支持脚として機能するため、地震等による画像形成装置１００の転倒を効果的に防止することができる。
【００２６】
図６は、本発明の第２実施形態に係る転倒防止装置４０の平面図である。本実施形態の転倒防止装置４０は、操作レバー５０が画像形成装置１００の底面１００ｃに沿って回転可能に取り付けられている。操作レバー５０には押圧部材５３が橋渡し状に固定されており、平坦状の係止部５３ａと、傾斜部５３ｂとが操作レバー５０の回転方向に連続するように形成されている。また、操作レバー５０の回転時に操作レバー５０とアジャスターホルダー４３及びピン４５とが干渉しないように、操作レバー５０の一部に切り欠き５０ａが形成されている。アジャスター４１及びアジャスターホルダー４３の構成については第１実施形態と同様であるため説明を省略する。
【００２７】
本実施形態の構成では、図６に示すように、転倒防止装置４０を使用しない状態で、操作レバー５０は底面１００ｃの下方（図６の実線位置）に収納されている。この状態では、アジャスターホルダー５３の突起５３ａが押圧部材５３の係止部５３ａと当接しており、アジャスターホルダー４３は押圧部材５３によりコイルバネ４７（図３参照）の付勢力に抗して上方向（矢印Ｙ′方向）に押し上げられている。その結果、アジャスターホルダー４３に固定されたアジャスター４１も上方向に移動し、図３に示すように、キャスター３０（図１参照）より上方の解除位置に配置されている。画像形成装置１００を移動する際は、操作レバー５０が図６の実線位置に配置された状態、即ち、底面１００ｃの四隅に設けられた転倒防止装置４０のアジャスター４１を解除位置に配置し、キャスター３０のみが設置面に当接した状態にして画像形成装置１００を移動させる。
【００２８】
転倒防止装置４０を使用する場合は、画像形成装置１００を所定位置まで移動した後、操作レバー５０を実線位置から図６の時計回り方向に回転させることにより、突起４３ａが押圧部材５３の係止部５３ａから外れて傾斜面５３ｂに沿って滑り落ち、アジャスターホルダー４３はコイルバネ４７の付勢力によって下方向（矢印Ｙ方向）に押し下げられ、ピン４５の頭部４５ａに圧接される。これにより、アジャスターホルダー４３に固定されたアジャスター４１もキャスター３０（図１参照）より下方の固定位置に移動する。
【００２９】
本実施形態の構成によれば、操作レバー５０の回転動作のみでアジャスター４１の配置を固定位置と解除位置とに切り替えることができる。従って、画像形成装置１００の移動時および設置時に簡易な構成でアジャスター４１の解除及び固定作業を容易に行うことができ、利便性を向上させることができる。
【００３０】
また、第１実施形態と同様に、アジャスター４１を設置面に固定したとき、底面１００ｃから外向きに突出する操作レバー５０（図６の破線位置）が画像形成装置１００の転倒を防止する支持脚として機能するため、地震等による画像形成装置１００の転倒を効果的に防止することができる。
【００３１】
図７は、本発明の第３実施形態に係る転倒防止装置４０の使用状態を示す側面図である。本実施形態の転倒防止装置４０は、操作レバー５０に固定された押圧部材５３の向きが第１実施形態とは逆になっている。転倒防止機構４０の他の部分の構成については第１実施形態と同様であるため説明を省略する。
【００３２】
本実施形態の構成では、図７に示すように、操作レバー５０を矢印Ｚ′方向に押し込んだ状態で突起４３ａが押圧部材５３から離間しており、アジャスターホルダー４３はコイルバネ４７の付勢力によって下方向（矢印Ｙ方向）に押し下げられ、ピン４５の頭部４５ａに圧接されている。これにより、アジャスターホルダー４３に固定されたアジャスター４１もキャスター３０（図１参照）より下方の固定位置に配置されている。
【００３３】
画像形成装置１００の設置位置を変更する場合は、図７の状態から操作レバー５０を矢印Ｚ方向に引き出すことにより、突起４３ａが押圧部材５３の傾斜面５３ｂに乗り上げ、アジャスターホルダー４３はコイルバネ４７の付勢力に抗して矢印Ｙ′方向に移動する。これに伴い、アジャスター４１も固定位置から矢印Ｙ′方向に移動する。そして、操作レバー５０が完全に引き出された状態で、突起４３ａが押圧部材５３の係止部５３ａに係止され、アジャスター４１が解除位置に退避する。
【００３４】
本実施形態の構成によれば、アジャスター４１が固定状態にあるとき操作レバー５０が画像形成装置１００の底面１００ｃの下方に収納されているため、ユーザーが操作レバー５０につまずいて転倒したり、怪我をしたりするおそれがなく、操作レバー５０の破損も防止することができる。また、画像形成装置１００の外観も向上する。
【００３５】
また、アジャスター４１が解除位置に退避したとき操作レバー５０が底面１００ｃから外向きに突出するため、画像形成装置１００の移動時に操作レバー５０が画像形成装置１００の転倒を防止する支持脚として機能する。従って、画像形成装置１００の移動時においてキャスター３０が段差等に引っ掛かることによる画像形成装置１００の転倒を効果的に防止することができる。
【００３６】
なお、操作レバー５０を底面１００ｃに沿って回転させる第２実施形態においても、アジャスター４１が解除位置に退避したとき操作レバー５０が底面１００ｃから外向きに突出し、アジャスター４１が固定位置に配置されたとき操作レバー５０が底面１００ｃの下方に収納されるようにすれば、第３実施形態と同様の効果が得られる。
【００３７】
その他、本発明は上記各実施形態に限定されず、本発明の趣旨を逸脱しない範囲で種々の変更が可能である。例えば、上記第１実施形態では、操作レバー５０を引き出すことによりアジャスターホルダー４３がコイルバネ４７の付勢力によって下方へ移動する構成としたが、図８に示す変形例のように、コイルバネ４７を設ける代わりに、押圧部材５３に斜めに延在する長穴状の摺動穴５３ｃを形成しておき、突起４３ａが摺動穴５３ｃ内を摺動することでアジャスターホルダー４３が上下に移動する構成としても良い。さらに、摺動穴５３ｃの両端部に水平な係止部５３ａを形成することで、アジャスター４１が固定位置または解除位置に配置された状態でアジャスターホルダー４３を確実に係止することができる。
【００３８】
また、係合穴５３ｃの勾配を逆向きにすることで、第３実施形態と同様に、アジャスター４１が固定状態にあるとき操作レバー５０が画像形成装置１００の底面１００ｃの下方に収納される。
【００３９】
また、アジャスターホルダー４３や押圧部材５３の形状、構成についても上記実施形態に限定されるものではなく、例えば係止部５３ａ、傾斜面５３ｂ、摺動穴５３ｃを操作レバー５０と一体形成することもできる。
【００４０】
また、本発明の転倒防止装置４０は、図１に示したような画像形成装置１００に限らず、冷蔵庫等の家電製品、キャビネット等の事務機器、箪笥等の、キャスター付きの機器、家具の転倒防止機構としても適用可能である。
【産業上の利用可能性】
【００４１】
本発明は、画像形成装置等の事務機器や家具等を設置面に固定するための転倒防止装置に利用可能である。本発明の利用により、転倒防止部材を簡易な構成で装置本体から出し入れすることができる転倒防止装置となる。
【符号の説明】
【００４２】
３０            キャスター
４０            転倒防止装置
４１            アジャスター（転倒防止部材）
４３            アジャスターホルダー（ホルダー部材）
４３ａ          突起
４５            ピン
４７            コイルバネ（付勢部材）
５０            操作レバー
５１            ガイドレール
５３            押圧部材
５３ａ          係止部
５３ｂ          傾斜面
５３ｃ          摺動穴
１００          画像形成装置（装置本体）
１００ｃ        底面
【図６】
2015141385.tif 000003
【図７】
2015141385.tif 000004
【図８】
2015141385.tif 000005
【図１】
2015141385.tif 000006
【図２】
2015141385.tif 000007
【図３】
2015141385.tif 000008
【図４】
2015141385.tif 000009
【図５】
2015141385.tif 000010